(57)【要約】【目的】本発明は、固定側筐体と可動側筐体からなる携帯端末装置の自動発呼方法、自動発呼プログラム、および携帯端末装置に関し、携帯端末装置の固定側筐体と可動側筐体とを開いたときに特定スイッチの状態をもとに自動発呼と通常発呼とを動的に切り替え、簡易かつ迅速かつ的確に自動発呼あるいは通常発呼を選択して発呼することを目的とする。【構成】  携帯端末装置の固定側筐体と可動側筐体とを開いたことを検出するステップと、開いたことが検出されたときに、自動発呼キーの状態を検出するステップと、検出された自動発呼キーの状態をもとに、予め登録した番号に発呼する自動発呼モードあるいは番号を入力させて発呼する通常発呼モードに移行させるステップとを有する。【選択図】        図１
2007208508.tif 000002
【特許請求の範囲】
【請求項１】
固定側筐体と可動側筐体からなる携帯端末装置の自動発呼方法において、
固定側筐体と可動側筐体からなる携帯端末装置を開いたことを検出するステップと、
前記開いたことが検出されたときに、自動発呼キーの状態を検出するステップと、
前記検出された自動発呼キーの状態をもとに、予め登録した番号に発呼する自動発呼モードあるいは番号を入力させて発呼する通常発呼モードに移行させるステップと
を有する自動発呼方法。
【請求項２】
前記自動発呼キーの状態を検出するとして、携帯端末装置を開いたときに、スイッチが押下あるいはスライドあるいは回転されたままの状態のときに検出されたとしたことを特徴とする請求項１記載の自動発呼方法。
【請求項３】
前記自動発呼キーの状態を検出するとして、携帯端末装置を開いたときから所定時間以内にスイッチが押下あるいはスライドあるいは回転されたときに検出されたとしたことを特徴とする請求項１記載の自動発呼方法。
【請求項４】
コンピュータに、
固定側筐体と可動側筐体からなる携帯端末装置を開いたことを検出するステップと、
前記開いたことが検出されたときに、自動発呼キーの状態を検出するステップと、
前記検出された自動発呼キーの状態をもとに、予め登録した番号に発呼する自動発呼モードあるいは番号を入力させて発呼する通常発呼モードに移行させるステップと
して動作させるための自動発呼プログラム。
【請求項５】
固定側筐体と可動側筐体からなる携帯端末装置において、
固定側筐体と可動側筐体からなる当該携帯端末装置を開いたことを検出する手段と、
前記開いたことが検出されたときに、自動発呼キーの状態を検出する手段と、
前記検出された自動発呼キーの状態をもとに、予め登録した番号に発呼する自動発呼モードあるいは番号を入力させて発呼する通常発呼モードに移行させる手段と
を備えたことを特徴とする携帯端末装置。
【発明の詳細な説明】
【技術分野】
【０００１】
本発明は、固定側筐体と可動側筐体からなる携帯端末装置の自動発呼方法、自動発呼プログラム、および携帯端末装置に関するものである。
【背景技術】
【０００２】
従来、携帯電話機の操作面上の任意の数字ボタンを押下した後に発呼ボタンを押下し、当該数字ボタンに対応づけて予め登録しておいた発呼先に発呼するいわゆる短縮ダイヤル発呼方式がある。
【０００３】
また、携帯電話機の自動発呼機能を有りに予め設定しておき、２つ折の携帯電話機を開いたときに予め設定されている発呼先に電話する技術がある（特許文献１）。
【０００４】
また、折りたたんだ携帯電話機を開いたときに自動的に音声認識動作を起動して使用者の音声のときに発信可能にする技術がある（特許文献２）。
【特許文献１】特開平０６−３２６６５８号公報
【特許文献２】特開２０００−２４４６２５号公報
【発明の開示】
【発明が解決しようとする課題】
【０００５】
従来の上述した第１の技術では、携帯電話機が２つ折やスライド式の場合には、携帯電話機を開いた後、任意の数字を押下、次に発呼ボタンを押下して発呼先に発呼するのに、３つの操作が要求され、特に、２つ折やスライド式の携帯電話機では多くの操作が要求されて迅速かつ簡単に自動発呼できないという問題があった。
【０００６】
また、上述した第２の技術では、２つ折の携帯電話機を開いたときに予め設定した発呼先に自動発呼するには、予め自動発呼機能を有りに設定しておく必要があるという面倒な操作が必要となってしまうと共に、自動発呼機能を解除するにはメニューを表示させて当該自動発呼機能を有りから無に設定変更する必要があり、極めて煩雑な操作が要求されてしまうという大きな欠点があった。
【０００７】
また、上述した第３の技術では、２つ折の携帯電話機を開いたときに音声認識機能を動作させ、使用者の音声のときに発呼可能となるもので本人認識して他人の使用不可とするものであって、携帯電話機で自動発呼および通常発呼を簡単かつ迅速に切り替えて所望の発呼を行うことが出来ないという問題があった。
【課題を解決するための手段】
【０００８】
本発明は、これらの問題を解決するため、携帯端末装置の固定側筐体と可動側筐体とを開いたときに特定スイッチの状態をもとに自動発呼と通常発呼とを動的に切り替えるようにしている。
【発明の効果】
【０００９】
本発明は、携帯端末装置の固定側筐体と可動側筐体とを開いたときに特定スイッチの状態をもとに自動発呼と通常発呼とを動的に切り替えることにより、簡易かつ迅速かつ的確に自動発呼あるいは通常発呼を選択して発呼することが可能となる。
【発明を実施するための最良の形態】
【００１０】
本発明は、携帯端末装置の固定側筐体と可動側筐体とを開いたときに特定スイッチの状態をもとに自動発呼と通常発呼とを動的に切り替え、簡易かつ迅速かつ的確に自動発呼あるいは通常発呼を選択して発呼することを実現した。
【実施例１】
【００１１】
図１は、本発明のシステム構成図を示す。
図１の（ａ）は、携帯端末装置１を開いた状態を示す。
【００１２】
図１の（ａ）において、携帯端末装置１は、２つ折、スライド式、回転式などの携帯端末装置（例えば携帯電話機、ＰＤＡなど））であって、ここでは、開閉センサ２、自動発呼キー３、および自動発呼停止キー３１などを設けたものである。
【００１３】
開閉センサ２は、携帯端末装置１の固定側筐体と可動側筐体を開いたり（例えば２つ折式のときは開いたり、スライド式のときはスライドさせたり、回転式のときは回転させたりなど）し、図示のような状態（開状態）となったことを検出するセンサであって、例えば磁気センサである。
【００１４】
自動発呼キー３は、自動発呼を行うためのキー（スイッチ）である（図２から図６参照）。
【００１５】
自動発呼停止キー３１は、自動発呼を停止するためのキー（スイッチ）である（図２から図６参照）。
【００１６】
図１の（ｂ）は、図１の（ａ）の携帯端末装置１の内部の基板に設けた制御部１１の様子を示す。
【００１７】
図１の（ｂ）において、制御部１１の例を示す。
図１の（ｂ）において、ソフトウェアメモリ１２は、ソフトウェア（プログラム）を格納して図示外のＣＰＵが読み出して動作させるためのメモリであって、ここでは、開閉センサ検知手段１３、自動発呼キー検知手段１４、自動発呼設定判断手段１５、検索手段１６、および発呼手段１７などから構成されるものである。
【００１８】
開閉センサ検知手段１３は、図１の（ａ）の開閉センサ２からの信号をもとに携帯端末装置１が開状態（例えば２つ折携帯端末装置１の場合には開いた状態、スライド式携帯端末装置１の場合にはスライドして使用可能にした状態、回転式携帯端末装置１の場合には回転させて使用可能にした状態、以下同じ）になったことを検出するものである（図２から図６参照）。
【００１９】
自動発呼キー検知手段１４は、図１の（ａ）の自動発呼キー３（あるいは自動発呼停止キー３１）の状態を検知（自動発呼キー３が押下されたままの状態を検知、開閉センサ２が開状態になってから所定時間以内に押下された状態を検知、自動発呼キー３が所定位置にセットされた状態を検知、以下同じ）するものである（図２から図６参照）。
【００２０】
自動発呼設定判断手段１５は、自動発呼が設定されているか否かを判断するものである（図２から図６参照）。
【００２１】
検索手段１６は、自動発呼先の電話番号を検索するものである（図２から図６参照）。
発呼手段１７は、電話番号に発呼するものである（図２から図６参照）。
【００２２】
管理メモリ２１は、フラグ、情報、テーブルなどを保存するものであって、ここでは、自動発呼設定フラグ２２、自動発呼相手先情報２３、および電話帳テーブル２４などを保存したものである。
【００２３】
自動発呼設定フラグ２２は、自動発呼の有無を設定するフラグである（図２から図４参照）。
【００２４】
自動発呼相手先情報２３は、自動発呼する相手先の情報を保存するものである（図２から図４参照）。
【００２５】
電話帳テーブル２４は、相手先の電話番号などを登録したものである（図２から図４参照）。
【００２６】
通信部３１は、相手先と通信するものである。
次に、図２のフローチャートの順番に従い、図１の構成の動作を詳細に説明する。
【００２７】
図２は、本発明の動作説明フローチャートを示す。
図２において、Ｓ１は、開検知か判別する。これは、左側に記載したハードウェアのうちの開閉センサ２が携帯端末装置１の開（開閉、スライド、回転されて携帯端末装置１が使用可能な状態となった）か判別する。ＹＥＳの場合には、Ｓ２に進む。ＮＯの場合には、Ｓ１を所定時間毎に繰り返す、あるいは開閉センサ２からの割込みで開が通知されるまで待機する。
【００２８】
Ｓ２は、自動発呼モードか判別する。これは、自動発呼キー３が押下（スライド、回転）された状態か、あるいは自動発呼キー３が所定時間以内に押下（スライド、回転）されたか、あるいは自動発呼キー３が所定位置に押下（スライド、回転）された状態か判別する（図３から図６参照）。ＹＥＳの場合には、自動発呼モードと判別されたので、Ｓ３に進む。ＮＯの場合には、自動発呼モードでなく、通常モードと判別されたので、Ｓ７に進む。
【００２９】
Ｓ３は、Ｓ２のＹＥＳで自動発呼モードと判別されたので、自動発呼ＯＮ設定か判別する。これは、管理メモリ２１中の自動発呼設定フラグ２２がＯＮに設定されているか判別する。ＹＥＳの場合には、自動発呼設定フラグ２２がＯＮで自動発呼機能が使用可に設定されていたと判明したので、Ｓ４に進む。ＮＯの場合には、自動発呼設定フラグ２２がＯＦＦで自動発呼無と設定されていたと判明したので、Ｓ７に進む。
【００３０】
Ｓ４は、自動発呼の相手先情報を確認する。これは、管理メモリ２１中の自動発呼相手先情報２３に設定されている相手先情報を読み出す。
【００３１】
Ｓ５は、自動発呼の相手先の番号を検索する。これは、Ｓ４で読み出した相手先情報をもとに、電話帳テーブル２４を検索して当該相手先情報に対応づけて予め登録されている発呼先の電話番号を読み出す。
【００３２】
Ｓ６は、発呼処理を行う。これは、Ｓ５で読み出した自動発呼先の電話番号に自動発呼する。そして、Ｓ７で通常モードに移行し、呼が接続されたときに通話、通信開始する。また、自動発呼モードでない場合（Ｓ２のＮＯ）、および自動発呼モードと判別されても自動発行機能がＯＮと設定されていなかった場合（Ｓ３のＮＯ）には、Ｓ７で通常モードの機能となり、相手先の電話番号に該当する数字ボタンを順次押下あるいは短縮ボタンを押下などした後に発呼ボタンを押下して相手先に接続し、通話、通信開始する。
【００３３】
以上のように、携帯端末装置１を開にしたときに自動発呼キー３の状態が自動発呼状態であった場合に、自動発呼モードと判別し（Ｓ２のＹＥＳ），更に、管理メモリ２１中の自動発呼設定フラグがＯＮで自動発呼機能の動作可と設定されていた場合に、自動的に設定されている相手先情報の電話番号に自動発呼し、通話、通信を開始することが可能となる。一方、自動発呼モードでないと判別（Ｓ２のＮＯ）および自動発呼モードと判別されても自動発呼設定フラグがＯＦＦの場合（Ｓ３のＮＯ）には、通常モードと判定し、ダイヤルなどして発呼することが可能となる。これらにより、携帯端末装置１を開いたときの自動発呼キー３の状態で、自動発呼モードあるいは通常モードを簡易かつ確実に動切り替えて自動発呼あるいはマニュアル発呼することが可能となる。
【００３４】
図３は、本発明の説明図を示す。
図３の（ａ）は、キーによる自動発呼の例を示す。
【００３５】
図３の（ａ−１）はフローチャートを示し、図３の（ａ−２）は開閉センサ２および自動発呼キー３の組み合わせたときの動作を示す。
【００３６】
図３の（ａ−１）において、Ｓ１１は、自動発呼モードか判断する。これは、開閉センサ２および自動発呼キー３の状態を読み込んで動作が自動発呼モードか判断する。具体的には、図３の（ａ−２）のテーブルに示す下記のように判断する。
【００３７】
開閉センサ２  自動発呼キー３  動作
閉            ×              開待ち
開            ＯＮ            自動発呼モード
開            ＯＦＦ          通常モード
Ｓ１１のＹＥＳとなるのは、開閉センサ２から開の信号が検出されたときに、自動発呼キー３がＯＮのときに自動発呼モード、ＯＦＦのときに通常モードと判断する。尚、自動発呼キー３がＯＮのときとしては、
・開閉センサ２が開となったときに、自動発呼キー３が押下、スライド、回転された状態のとき、
・開閉センサ２が開となったときに、自動発呼キー３が所定時間以内に押下、スライド、回転されたと検出されたとき、
・開閉センサ２が開となったときに、自動発呼キー３が所定位置に押下、スライド、回転されていたとき、
のいずれかの場合である。尚、これらに限られることなく、開閉センサ２が開となったときに、自動発呼キー３が通常の状態（通常モード）と異なる特定の状態のときにＯＮ（自動発呼モード）と判断するようにしてもよい。
【００３８】
図３の（ｂ）は、キーによる自動発呼停止の例を示す。
図３の（ｂ−１）はフローチャートを示し、図３の（ｂ−２）は開閉センサ２および自動発呼キー３の組み合わせたときの動作を示す。
【００３９】
図３の（ｂ−１）において、Ｓ２１は、自動発呼停止モードか判断する。これは、開閉センサ２および自動発呼キー３の状態を読み込んで動作が自動発呼停止モード（通常モード）か判断する。具体的には、図３の（ｂ−２）のテーブルに示す下記のように判断する。
【００４０】
開閉センサ２  自動発呼キー３  動作
閉            ×              開待ち
開            ＯＮ            通常モード
開            ＯＦＦ          自動発呼モード
Ｓ２１のＹＥＳとなるのは、開閉センサ２から開の信号が検出されたときに、自動発呼停止キー３１がＯＮのときに自動発呼停止モード（通常モード）、ＯＦＦのときに自動発呼モードと判断する。尚、自動発呼停止キー３１がＯＮのときとしては、
・開閉センサ２が開となったときに、自動発呼キー３が押下、スライド、回転された状態のとき、
・開閉センサ２が開となったときに、自動発呼キー３が所定時間以内に押下、スライド、回転されたと検出されたとき、
・開閉センサ２が開となったときに、自動発呼キー３が所定位置に押下、スライド、回転されていたとき、
のいずれかの場合である。尚、これらに限られることなく、開閉センサ２が開となったときに、自動発呼停止キー３１が通常の状態（自動発呼モード）と異なる特定の状態のときにＯＮ（自動発呼停止モード（通常モード））と判断するようにしてもよい。
【００４１】
図４は、本発明のフラグ／情報／テーブルの例を示す。
図４の（ａ）は、自動発呼設定フラグ２２の例を示す。自動発呼設定フラグ２２は、図示の下記の情報を登録するものである。
【００４２】
自動発呼ＯＮ／ＯＦＦ設定：ＯＮ
ここでは、自動発呼ＯＮ／ＯＦＦ設定フラグがＯＮ（自動発呼機能の動作可）が設定されており、既述した図２のＳ３でＹＥＳとなる場合である。
【００４３】
図４の（ｂ）は、自動発呼相手先情報２３の例を示す。自動発呼相手先情報２３は、図示の下記の情報を登録するものである。
【００４４】
自動発呼相手先情報：Ｂさん
ここでは、自動発呼相手先情報が”Ｂさん”が設定されており、既述した図２のＳ４で読み出す情報である。
【００４５】
図４の（ｃ）は、電話帳テーブル２４の例を示す。電話帳テーブル２４は、図示の下記の情報を対応づけて登録するものである。
【００４６】
・名前：
・電話番号：
・その他：
ここでは、名前”Ｂさん”のエントリには、電話番号”０９０−２２２２−２２２２”が登録されており、当該名前”Ｂさん”をキーに電話番号”０９０−２２２２−２２２２”を検索して読み出し（既述した図２のＳ５）、自動発呼することが可能となる（既述した図２のＳ６）。
【００４７】
次に、図５および図６を参照して、自動発呼モード／通常モードの判定の例を示す。
図５の（ａ）において、Ｓ３１は、開閉センサが開か判別する。これは、既述した図１の開閉センサ２が開（携帯端末装置１が開、スライド、回転して使用可能な状態となった）か判別する。ＹＥＳの場合には、Ｓ３２に進む。ＮＯの場合には、待機する。
【００４８】
Ｓ３２は、スイッチが押されたまたはスライドされた（または回転された）状態か判別する。これは、Ｓ３１で開閉スイッチ２が開とされたときに、スイッチ（自動発呼キー３）が押された状態、スライドされた状態（あるいは回転された状態など）のいずれかと判別する（尚、既述したように、これら状態に限られることなく、開閉センサ２が開となったときに、自動発呼キー３が通常の状態（通常モード）と異なる特定の状態のときにも当該状態と判別する）。ＹＥＳの場合には、Ｓ３３の自動発呼モードと判定する。ＮＯの場合には、Ｓ３４の通常モードと判定する。
【００４９】
以上によって、開閉センサ２が開となったときに、自動発呼キー３（スイッチ）が押下、スライド、回転された状態などのときに自動発呼モードと判定し、それ以外を通常モードと判定することが可能となる。
【００５０】
図５の（ｂ）において、Ｓ４１は、開閉センサが開か判別する。これは、既述した図１の開閉センサ２が開（携帯端末装置１が開、スライド、回転して使用可能な状態となった）か判別する。ＹＥＳの場合には、Ｓ４２に進む。ＮＯの場合には、待機する。
【００５１】
Ｓ４２は、所定時間経過か判別する。これは、Ｓ４１のＹＥＳで開閉センサ２が開となってから所定時間経過か判別する。ＹＥＳの場合には、Ｓ４５の通常モードと判断する。ＮＯの場合には、Ｓ４３に進む。
【００５２】
Ｓ４３は、スイッチが押されたまたはスライドされた（または回転された）か判別する。これは、Ｓ４１で開閉スイッチ２が開とされ、所定時間経過以内に、スイッチ（自動発呼キー３）が押された、スライドされた（あるいは回転されたなど）のいずれかと判別する（尚、既述したように、これら状態に限られることなく、開閉センサ２が開となったときに、自動発呼キー３が通常の状態（通常モード）と異なる特定の状態のときにも当該状態と判別する）。ＹＥＳの場合には、Ｓ４４の自動発呼モードと判定する。ＮＯの場合には、Ｓ４５の通常モードと判定する。
【００５３】
以上によって、開閉センサ２が開となってから所定時間経過するまでに、自動発呼キー３（スイッチ）が押下、スライド、回転されたなどのときに自動発呼モードと判定し、それ以外を通常モードと判定することが可能となる。
【００５４】
図６の（ｃ）において、Ｓ５１は、開閉センサが開か判別する。これは、既述した図１の開閉センサ２が開（携帯端末装置１が開、スライド、回転して使用可能な状態となった）か判別する。ＹＥＳの場合には、Ｓ５２に進む。ＮＯの場合には、待機する。
【００５５】
Ｓ５２は、スイッチが自動発呼モード位置か判別する。これは、Ｓ５１で開閉スイッチ２が開とされ、スイッチ（自動発呼キー３）が押された自動発呼モード位置、スライドされて自動発呼モード位置（あるいは回転されて自動発呼モード位置など）のいずれかと判別する（尚、既述したように、これら状態に限られることなく、開閉センサ２が開となったときに、自動発呼キー３が通常の位置（通常モード）と異なる特定の位置のときにも当該位置と判別する）。ＹＥＳの場合には、Ｓ５３の自動発呼モードと判定する。ＮＯの場合には、Ｓ５４の通常モードと判定する。
【００５６】
以上によって、開閉センサ２が開となったときに、自動発呼キー３（スイッチ）が自動発呼モード位置にセットされていたときに自動発呼モードと判定し、それ以外を通常モードと判定することが可能となる。
【産業上の利用可能性】
【００５７】
本発明は、携帯端末装置の固定側筐体と可動側筐体とを開いたときに特定スイッチの状態をもとに自動発呼と通常発呼とを動的に切り替え、簡易かつ迅速かつ的確に自動発呼あるいは通常発呼を選択して発呼する自動発呼方法および自動発呼システムに関するものである。
【図面の簡単な説明】
【００５８】
【図１】本発明のシステム構成図である。
【図２】本発明の動作説明フローチャートである。
【図３】本発明の説明図である。
【図４】本発明のフラグ／情報／テーブルの例である。
【図５】本発明の状態検出フローチャート（その１）である。
【図６】本発明の状態検出フローチャート（その２）である。
【符号の説明】
【００５９】
１：携帯端末装置
２：開閉センサ
３：自動発呼キー
３１：自動発呼停止キー
１１：制御部
１２：ソフトウェアメモリ
１３：開閉センサ検知手段
１４：自動発呼キー検知手段
１５：自動発呼設定判断手段
１６：検索手段
１７：発呼手段
２１：管理メモリ
２２：自動発呼設定フラグ
２３：自動発呼相手先情報
２４：電話帳テーブル
３１：通信部
【図１】
2007208508.tif 000003
【図２】
2007208508.tif 000004
【図３】
2007208508.tif 000005
【図４】
2007208508.tif 000006
【図５】
2007208508.tif 000007
【図６】
2007208508.tif 000008